【手続補正書】
【提出日】平成24年5月10日(2012.5.10)
【手続補正１】
【補正対象書類名】特許請求の範囲
【補正対象項目名】全文
【補正方法】変更
【補正の内容】
【特許請求の範囲】
【請求項１】
記録媒体から動画像信号を再生する再生手段と、
前記再生手段により再生された動画像信号における複数の特徴部分の画像がそれぞれ出現した出現位置を検出する検出手段と、
前記動画像信号の巻き戻しの指示を出力する指示手段と、
前記動画像信号の再生中に前記指示手段により前記巻き戻しの指示が出力された場合、前記巻き戻しの指示に対応した再生位置よりも前の、複数の前記特徴部分のうち何れか一つの特徴部分の前記出現位置に関連した位置から前記動画像信号を再生するように、前記再生手段を制御する制御手段とを備えることを特徴とする再生装置。
【請求項２】
前記検出手段は、前記再生手段により再生された動画像信号を用いて、前記動画像信号における特徴部分の画像を検出する特徴検出手段を含むことを特徴とする請求項１に記載の再生装置。
【請求項３】
前記制御手段は、前記指示手段により前記巻き戻しの指示が出力されたときに再生していたフレームに含まれる前記特徴部分の画像の出現位置に関連した位置から前記動画像信号を再生するように前記再生手段を制御することを特徴とする請求項１に記載の再生装置。
【請求項４】
前記検出手段は、前記再生された動画像信号において前記特徴部分の画像が消失したことを検出し、前記制御手段は前記動画像信号の再生中に前記特徴部分の画像が消失したことを検出してから所定期間以内に前記指示手段より巻き戻しの指示があった場合、前記巻き戻しの指示に対応した再生位置よりも前の前記出現位置に関連した位置から前記動画像信号を再生するように前記再生手段を制御することを特徴とする請求項１に記載の再生装置。
【請求項５】
前記複数の特徴部分の画像のうちの一つを任意に選択する選択手段を備え、
前記制御手段は、複数の前記特徴部分のうちの前記選択手段により選択された特徴部分の出現位置に関連した位置から前記動画像信号を再生するように、前記再生手段を制御することを特徴とする請求項１に記載の再生装置。
【請求項６】
撮像手段と、前記撮像手段から出力された動画像信号を前記記録媒体に記録する記録手段とを備え、
前記検出手段は前記撮像手段から出力された動画像信号を用いて、前記動画像信号における特徴部分の画像を検出する特徴検出手段を含み、前記記録手段は前記検出手段により検出された前記出現位置の情報を前記記録媒体に記録し、前記制御手段は前記記録媒体に記録された前記出現位置の情報に基づいて、前記巻き戻しの指示に対応した再生位置よりも前の前記出現位置に関連した位置から前記動画像信号を再生するように前記再生手段を制御することを特徴とする請求項１に記載の再生装置。
【請求項７】
前記制御手段は、前記出現位置よりも所定期間前の位置から前記動画像信号を再生するように前記再生手段を制御することを特徴とする請求項１から６の何れか１項に記載の再生装置。
【請求項８】
記録媒体から動画像信号を再生する再生手段と、
前記再生手段により再生された動画像信号における複数の特徴部分の画像がそれぞれ出現した出現位置を検出する検出手段と、
前記動画像信号の早送りの指示を出力する指示手段と、
前記動画像信号の再生中に前記指示手段により前記早送りの指示が出力された場合、前記早送りの指示に対応した再生位置よりも後の、複数の前記特徴部分の画像のうちの何れか一つの特徴部分の前記出現位置に関連した位置から前記動画像信号を再生するように、前記再生手段を制御する制御手段とを備えることを特徴とする再生装置。
【請求項９】
前記制御手段は、前記指示手段により前記早送りの指示が出力されたときに再生していた画面に含まれる前記特徴部分の画像の出現位置に関連した位置から前記動画像信号を再生するように前記再生手段を制御することを特徴とする請求項８に記載の再生装置。
【請求項１０】
前記制御手段は、前記指示手段により前記早送りの指示が出力されたときに再生していた画面に含まれる前記特徴部分の画像と同じ画像の次の出現位置に関連した位置から前記動画像信号を再生するように前記再生手段を制御することを特徴とする請求項９に記載の再生装置。
【請求項１１】
前記検出手段は、前記再生された動画像信号において前記特徴部分の画像が消失したことを検出し、前記制御手段は前記動画像信号の再生中に前記特徴部分の画像が消失したことを検出してから所定期間以内に前記指示手段より早送りの指示があった場合、前記早送りの指示に対応した再生位置よりも後の、前記出現位置に関連した位置から前記動画像信号を再生するように前記再生手段を制御することを特徴とする請求項８に記載の再生装置。
【請求項１２】
前記複数の特徴部分の画像のうちの一つを任意に選択する選択手段を備え、
前記制御手段は、前記指示手段により前記早送りの指示が出力された場合、複数の前記特徴部分のうちの前記選択手段により選択された特徴部分の出現位置に関連した位置から前記動画像信号を再生するように前記再生手段を制御することを特徴とする請求項８に記載の再生装置。
【請求項１３】
前記再生手段は前記出現位置を示す情報を前記記録媒体から再生し、前記検出手段は前記再生手段により再生された前記出現位置を示す情報に基づいて前記出現位置を検出することを特徴とする請求項８に記載の再生装置。
【請求項１４】
入力された動画像信号を前記記録媒体に記録する記録手段を備え、
前記検出手段は前記入力された動画像信号を用いて、前記動画像信号の複数の画面に含まれる特徴部分の画像を検出する特徴検出手段を含み、前記記録手段は前記検出手段により検出された前記特徴部分の画像に関する付加情報を前記動画像信号の複数の画面にそれぞれ付加して前記記録媒体に記録することを特徴とする請求項８に記載の再生装置。
【請求項１５】
記録媒体から動画像信号を再生する再生工程と、
前記再生工程により再生された動画像信号における複数の特徴部分の画像がそれぞれ出現した出現位置を検出する検出工程と、
前記動画像信号の巻き戻しの指示を出力する指示工程と、
前記動画像信号の再生中に前記指示工程により前記巻き戻しの指示が出力された場合、前記巻き戻しの指示に対応した再生位置よりも前の、複数の前記特徴部分のうち何れか一つの前記出現位置に関連した位置から前記動画像信号を再生するように、前記再生工程を制御する制御工程とを備えることを特徴とする再生方法。
【請求項１６】
記録媒体から動画像信号を再生する再生工程と、
前記再生工程により再生された動画像信号における複数の特徴部分の画像がそれぞれ出現した出現位置を検出する検出工程と、
前記動画像信号の早送りの指示を出力する指示工程と、
前記動画像信号の再生中に前記指示工程により前記早送りの指示が出力された場合、前記早送りの指示に対応した再生位置よりも後の、複数の前記特徴部分の画像のうちの何れか一つの前記出現位置に関連した位置から前記動画像信号を再生するように、前記再生工程を制御する制御工程とを備えることを特徴とする再生方法。
【手続補正２】
【補正対象書類名】明細書
【補正対象項目名】発明の名称
【補正方法】変更
【補正の内容】
【発明の名称】再生装置及び再生方法
【手続補正３】
【補正対象書類名】明細書
【補正対象項目名】０００１
【補正方法】変更
【補正の内容】
【０００１】
本発明は再生装置及び再生方法に関し、特に、動画像を再生するために用いて好適な技術に関する。
【手続補正４】
【補正対象書類名】明細書
【補正対象項目名】０００８
【補正方法】変更
【補正の内容】
【０００８】
本発明の再生装置は、記録媒体から動画像信号を再生する再生手段と、前記再生手段により再生された動画像信号における複数の特徴部分の画像がそれぞれ出現した出現位置を検出する検出手段と、前記動画像信号の巻き戻しの指示を出力する指示手段と、前記動画像信号の再生中に前記指示手段により前記巻き戻しの指示が出力された場合、前記巻き戻しの指示に対応した再生位置よりも前の、複数の前記特徴部分のうち何れか一つの前記出現位置に関連した位置から前記動画像信号を再生するように、前記再生手段を制御する制御手段とを備えることを特徴とする。